【事件の表示】
　特許第３０５１２４５号「苗植付け装置の苗縦送り構造」の請求項１ないし２に係る特許に対する特許異議の申立てについて、次のとおり決定する。
【結　論】
　訂正を認める。
　特許第３０５１２４５号の請求項１ないし２に係る特許を維持する。
【理　由】
１．手続の経緯　　　　　　　　　　　　　　　　　　　　　　　　　　
　本件特許第３０５１２４５号の請求項１ないし２に係る発明は、平成４年１月２０日に特許出願され、平成１２年３月３１日にその発明について特許権の設定登録がなされ、その後、ヤンマー農機株式会社より特許異議の申立てがなされ、取消理由通知がなされ、その指定期間内である平成１３年５月３１日に訂正請求（後日取下げ）がなされた後、再度の取消理由通知がなされ、その指定期間内である平成１３年９月１９日に訂正請求がなされたものである。        　　　　　　　　　　　　　　　　　　　　　　　　　　
　　　　　　　　　　　　　　　　　　　　　　　　　　　　　　　　　
２．訂正の適否についての判断　　　　　　　　　　　　　　　　　　　
（１）訂正の内容　　　　　　　　　　　　　　　　　　　　　　　　　　
訂正事項a
特許請求の範囲の請求項１を以下のとおり訂正。
【請求項１】　苗（Ｎ）を載置する苗のせ台（２）と、前記苗のせ台（２）の下部から苗（Ｎ）を取り出して田面に植え付ける植付け機構（３）とを備えて、
　所定の横幅を持つ苗送りベルト（６）を前記苗のせ台（２）に縦送り方向に沿って配置し、前記苗送りベルト（６）を縦送り方向に沿って回転駆動することにより、苗（Ｎ）の底面に前記苗送りベルト（６）が接触して、苗（Ｎ）が前記苗のせ台（２）の下部側に縦送りされるように構成すると共に、
　前記苗送りベルト（６）の苗（Ｎ）に接触する部分の背面（Ｓ）に接触して前記苗送りベルト（６）の苗（Ｎ）に接触する部分を支持する突条（１０ａ）を、ベルト支持部材（１０）に備え、前記突条（１０ａ）を縦送り方向に沿って備えて、
　前記苗送りベルト（６）の背面（Ｓ）に形成された駆動用ラック部（６ｂ）を受け止める案内面（１０ｂ）を、前記ベルト支持部材（１０）に備えてある苗植付け装置の苗縦送り構造。
訂正事項b
特許請求の範囲の請求項２を以下のとおり訂正。
【請求項２】　苗（Ｎ）を載置する苗のせ台（２）と、前記苗のせ台（２）の下部から苗（Ｎ）を取り出して田面に植え付ける植付け機構（３）とを備えて、
　所定の横幅を持つ苗送りベルト（６）を前記苗のせ台（２）に縦送り方向に沿って配置し、前記苗送りベルト（６）を縦送り方向に沿って回転駆動することにより、苗（Ｎ）の底面に前記苗送りベルト（６）が接触して、苗（Ｎ）が前記苗のせ台（２）の下部側に縦送りされるように構成すると共に、
　前記苗送りベルト（６）の右側部及び左側部に対応する位置に、前記苗送りベルト（６）の苗（Ｎ）に接触する部分の背面（Ｓ）に接触して前記苗送りベルト（６）の苗（Ｎ）に接触する部分を支持する突条（１０ａ）を、ベルト支持部材（１０）に備え、前記突条（１０ａ）を縦送り方向に沿って備えて、
　前記苗送りベルト（６）の背面（Ｓ）に形成された駆動用ラック部（６ｂ）が、前記突条（１０ａ）の間に位置するように構成し、前記駆動用ラック部（６ｂ）を受け止める案内面（１０ｂ）を、前記ベルト支持部材（１０）に備えてある苗植付け装置の苗縦送り構造。
訂正事項c
明細書の段落【０００４】を以下のとおり訂正。
【０００４】　
　【課題を解決するための手段】
　本発明の特徴は苗植付け装置の苗縦送り構造において、次のように構成することにある。
［１］
　苗を載置する苗のせ台と、苗のせ台の下部から苗を取り出して田面に植え付ける植付け機構とを備えて、
　所定の横幅を持つ苗送りベルトを苗のせ台に縦送り方向に沿って配置し、苗送りベルトを縦送り方向に沿って回転駆動することにより、苗の底面に苗送りベルトが接触して、苗が苗のせ台の下部側に縦送りされるように構成すると共に、
　苗送りベルトの苗に接触する部分の背面に接触して苗送りベルトの苗に接触する部分を支持する突条を、ベルト支持部材に備え、突条を縦送り方向に沿って備えて、
　苗送りベルトの背面に形成された駆動用ラック部を受け止める案内面を、ベルト支持部材に備えてある。
訂正事項d
明細書の段落【０００５】を以下のとおり訂正。
【０００５】
［２］
　苗を載置する苗のせ台と、苗のせ台の下部から苗を取り出して田面に植え付ける植付け機構とを備えて、
　所定の横幅を持つ苗送りベルトを苗のせ台に縦送り方向に沿って配置し、苗送りベルトを縦送り方向に沿って回転駆動することにより、苗の底面に苗送りベルトが接触して、苗が苗のせ台の下部側に縦送りされるように構成すると共に、
　苗送りベルトの右側部及び左側部に対応する位置に、苗送りベルトの苗に接触する部分の背面に接触して苗送りベルトの苗に接触する部分を支持する突条を、ベルト支持部材に備え、突条を縦送り方向に沿って備えて、
　苗送りベルトの背面に形成された駆動用ラック部が、突条の間に位置するように構成し、駆動用ラック部を受け止める案内面を、ベルト支持部材に備えてある。
訂正事項e
明細書の【符号の説明】を以下のとおり訂正。
 【符号の説明】
２　　　苗のせ台
３　　　植付け機構
６　　　苗送りベルト
６ｂ　　駆動用ラック部
１０　　ベルト支持部材
１０ａ　突条
１０ｂ　案内面
Ｓ　　　苗送りベルトの苗に接触する部分の背面
Ｎ　　　苗
　　　　　　　　　　　　　　　　　　　　　　　　　　　　　　　　　
（２）訂正の目的の適否、新規事項の有無及び拡張・変更の存否　 　　　
　上記訂正事項aないしbは、特許明細書の段落【００１３】及び【００１５】の記載に基いて請求項１ないし２を訂正するものであって、特許請求の範囲の減縮を目的とした明細書の訂正に該当しており、また訂正事項cないしeは訂正後の特許請求の範囲の記載と発明の詳細な説明の記載との整合を図るための明りょうでない記載の釈明を目的とした明細書の訂正に該当しており、いずれも新規事項の追加に該当せず、実質上特許請求の範囲を拡張し、変更するものではない。
　　　　　　　　　　　　　　　　　　　　　　　　　　　　　　　　　
（３）むすび　　　　　　　　　　　　　　　　　　　　　　　　　　　　
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。 　　　　　　　　　　　
　　　　　　　　　　　　　　　　　　　　　　　　　　　　　　　　　
３．特許異議申立てについての判断　　　　　　　　　　　　　　　　　
（１）申立ての理由の概要 　　　　　　　　　　　　　　　　　　　　　
　特許異議申立人ヤンマー農機株式会社は本件の請求項１ないし２に係る発明の特許に対して証拠として下記の甲第１号証を提示し、以下の点を主張している。　　　　　　　　　　　　　　　　　　　　　　　　　　　　　
　本件の請求項１ないし２に係る発明は、甲第１号証に記載された発明と同一であり、または甲第１号証に記載された発明に基いて当業者が容易に発明をすることができたものであるから、特許法第２９条第１項第３号または特許法第２９条第２項の規定に違反して特許されたものであり、本件請求項１ないし２に係るの発明の特許は、特許法第１１３条第２号の規定により取り消されるべきである。
　　　　　　　　　　　　　　　　記　　　　　　　　　　　　　　　　
甲第１号証：実願昭６１−１７０６９６号（実開昭６３−７５１１７号）の　　　　　　願書に添付した明細書及び図面の内容を撮影したマイクロフィ　　　　　　ルム　　　　　　　　　　
　　　　　　　　　　　　　　　　　　　　　　　　　　　　　　　　　
（２）本件の請求項１及び２に係る発明 　　　　　　　　　　　　　
　上記２．で示したように上記訂正が認められるので、本件特許第３０５１２４５号の請求項１ないし２に係る発明は、上記訂正に係る訂正明細書の特許請求の範囲の請求項１ないし２に記載されたとおりの「苗植付け装置の苗縦送り構造」にあるものと認める。（上記２．（１）訂正事項aないしb参照）　　　　　　　　　　　　　　　　　　　　　　　　　　　　　　　　
　　　　　　　　　　　　　　　　　　　　　　　　　　　　　　　　　
（３）甲号証等に記載の発明　　　　　　　　　　　　　　　　　　　　
　特許異議申立人ヤンマー農機株式会社の提示した甲第１号証（当審で引用した刊行物１）には、以下の発明が記載されている。　　　　　　　　　
甲第１号証（実願昭６１−１７０６９６号（実開昭６３−７５１１７号）の　　　　　　願書に添付した明細書及び図面の内容を撮影したマイクロフィ　　　　　　ルム、当審で引用した刊行物１）
「植付苗が載置される底板と、該底板側方の側壁体とを用いて苗載台を形成してなる田植機において、前記底板と側壁体とは、底板に載置された植付苗用の縦送り機構が組付けられる支持板と共に一体固定されていることを特徴とする田植機における苗載台構造」（実用新案登録請求の範囲）、
「１は図示しない乗用型の走行機体に装着される植付部であって、該植付部１は、植付爪２、フロート３、後述する前高後低状の苗載台４、植付部フレーム５、苗縦送り機構６等の部材によって構成されている」（第３頁第９行−１３行）、　　　　　　　　　　　　　　　
「苗載台４が、苗植付け作動に伴って左右の移動端に達した際に、・・・駆動プーリ２０が縦送りベルト１８を一株分だけ下方に縦送りするよう回動し、この様にして植付苗の縦送り機構が構成されている。」(第４頁第１７行−第５頁第４行)、　　　　　　　　　　　　　　　　　　　 　
「縦送りベルト１８は、その側縁部内周面に凸状のベルトガイド１８aが一体的に形成されているが、このベルトガイド１８aを内側から支承するように、底板７からは支承部７ｂが一体的に延出されている。」（第５頁第８行−１２行、並びに図面第４図Ａ及び第５図）　　　　　　　
「底板７を縦送りベルト１８の内側にまで延設して支承部７ｂを形成し、縦送りベルト１８の支承をする様になっているので、縦送りベルト１８の撓みを可及的に小ならしめることができ、縦送り量のより一層の均一化が果たせ得て、苗取出し量の一定化に寄与できるものである」（第６頁第１５行−２０行）より、刊行物１には、
「田植機における乗用型の走行機体に装着される植付部１は、植付爪２、フロート３、苗載台４、植付部フレーム５、苗縦送り機構６等の部材によって構成されており、前記苗載台４は植付苗が載置される底板と該底板側方の側壁体とから成っており、前記苗縦送り機構６は、苗載台４が、苗植付け作動に伴って左右の移動端に達した際に、駆動プーリ２０が縦送りベルト１８を一株分だけ下方に縦送りするよう回動するように構成されており、前記縦送りベルト１８は、その側縁部内周面に凸状のベルトガイド１８aが一体的に形成されており、底板７からは支承部７ｂが一体的に延出されていて、縦送りベルト１８のベルトガイド１８aを内側から支承するようになっており、縦送りベルト１８の撓みを可及的に小ならしめることができ、縦送り量のより一層の均一化が果たせ得て、苗取出し量の一定化に寄与できるものである。」が記載されている。
　また、当審で引用した刊行物２及び３には、以下の発明が記載されている。
刊行物２（実願昭５９−６９３０６号（実開昭６０−１７９１２２号）の願　　　　書に添付した明細書及び図面の内容を撮影したマイクロフィルム）「苗植付部（A）は機体（２）から伝動軸（４）を介して駆動入力されるフィードケース（５）、これに連設された３つの植付ケース（６）・・、植付ケース（６）・・の上部に取付けられた摺動レール（７）、摺動レール（７）に左右摺動自在に乗せつけられた前傾姿勢の苗のせ台（８）、植付ケース（６）・・の後端に取付けられた６つの植付アーム（９）・・によって構成されると共に、苗のせ台（８）にはこれに載置するマット状苗（Ｗ）を下方に送る苗送り装置（Ｂ）が各条につき２つ左右に並設されている。」（第５頁第３行−１２行）、
「苗送り装置（Ｂ）は・・・複数の突条（１４a）・・を有するゴム製ベルト（１４）等で構成されると共に、苗のせ台（８）に形成された広幅の開口（１５）に入り込ませた状態に配設されている。又、開口（１５）の左右側縁には別体のベルト受け部材（１６）がその両端に形成した係合部（１６a）を開口（１５）左右側縁の延設部（１５a）,（１５a）に係合させることで架橋連結され、ベルト（１４）の裏面を受け止めベルト（１４）の垂れ下りを防止している。」（第５頁第１３行−第６頁第４行）より、刊行物２には、
「苗植付部（A）はフィードケース（５）、植付ケース（６）、苗のせ台（８）、植付アーム（９）によって構成されると共に、苗のせ台（８）にはこれに載置するマット状苗（Ｗ）を下方に送る苗送り装置（Ｂ）が並設されており、苗送り装置（Ｂ）は複数の突条（１４a）を有するゴム製ベルト（１４）等で構成されると共に、苗のせ台（８）に形成された広幅の開口（１５）に入り込ませた状態に配設されており、開口（１５）の左右側縁には別体のベルト受け部材（１６）がその両端に形成した係合部（１６a）を開口（１５）左右側縁の延設部（１５a）,（１５a）に係合させることで架橋連結され、ベルト（１４）の裏面を受け止めベルト（１４）の垂れ下りを防止している。」が記載されている。
刊行物３（実願昭５７−８８３６８号（実開昭５８−１９１１０９号）の願　　　　書に添付した明細書及び図面の内容を撮影したマイクロフィルム）「駆動プーリと従動プーリとの間に無端ベルトを張架し、該無端ベルトの裏面に支持板を配設してなるベルトコンベヤにおいて、前記支持板の表面に非連続の突起を多数突設したことを特徴とするベルトコンベヤ」（実用新案登録請求の範囲）、　　　　　　　　　　　　　　　　　
「更に第７図は、中央部が長手方向に膨隆し両端部に四分球体状のラウンドを付された半体カプセル状の突起を示す。この場合、ベルト１４の裏面はこの半体カプセル状突起２０の長手方向頂部と所謂「線接触 」することになるが、この部位での接触面積は第６図の場合と同様に小さいので、摩擦抵抗は充分軽減される。なお、この第７図に示すような形状の突起を採用するときは、ベルト１４の移動方向に対し該突起２０の長手方向頂部が平行となるよう、支持板１６の配置が決定される。」（第５頁第１２行−第６頁第１行及び図面第７図）、　　　　　　　　　　　　　　　　　　　　　　　　　
「このように本考案では、ベルトコンベヤ装置のベルト裏側と接触する支持板の表面に非連続の突起を多数設けるように構成したことによって、ベルトと支持板との接触面積が全体的に小さくなり、ベルト運行時の摩擦抵抗が著しく軽減されるものである。」（第６頁第１９行−第７頁第４行）より、刊行物３には、
「駆動プーリと従動プーリとの間に無端ベルトを張架し、該無端ベルトの裏面に支持板を配設してなるベルトコンベヤにおいて、前記支持板の表面に中央部が長手方向に膨隆し両端部に四分球体状のラウンドを付された半体カプセル状の突起２０を、ベルト１４の移動方向に対し該突起２０の長手方向頂部が平行となるよう設けて、ベルト１４と支持板１６との接触面積を小さくし、ベルト運行時の摩擦抵抗を軽減したベルトコンベヤ」が記載されている。　　　　　　　　　　　　　　　　　　　　　
　　　　　　　　　　　　　　　　　　　　　　　　　　　　　　　　　
（４）対比・判断　　　　　　　　　　　　　　　　　　　　　　　　　
（４−１）請求項１に係る発明について　　　　　　　　　　　　　　　　
　本件請求項１に係る発明（以下、「本件発明１」という）と上記甲第１号証（刊行物１）並びに刊行物２及び刊行物３に記載された発明（以下、それぞれ「引用発明１」、「引用発明２」、「引用発明３」という）とを対比すると、引用発明１ないし３のいずれも、本件発明１の構成である、「苗送りベルトの背面に形成された駆動用ラック部を受け止める案内面を、ベルト支持部材に備え」の構成を備えていない。
　すなわち、本件発明１における「苗送りベルト」及び「ベルト支持部材」に対比させて引用発明１における「縦送りベルト１８」及び「底板７」をみると、「縦送りベルト１８」の側縁部内周面には凸状の「ベルトガイド１８a」が一体的に形成されており、この「ベルトガイド１８a」を内側から支承するように、「底板７」からは「支承部７ｂ」が一体的に延出されているが、上記「ベルトガイド１８a」は駆動用ラック部ではないと共に、駆動用ラック部を示唆するものでもなく、また、「ベルトガイド１８a」が駆動用ラック部ではないのであるから、「支承部７ｂ」も駆動用ラック部を受け止める案内面ではない。
　つぎに、本件発明１における「苗送りベルト」及び「ベルト支持部材」に対比させて引用発明２における「ゴム製ベルト（１４）」及び「ベルト受け部材（１６）」をみると、「ゴム製ベルト（１４）」は背面に駆動用ラック部を備えておらず、また、「ゴム製ベルト（１４）」が背面に駆動用ラック部を備えていないのであるから、「ベルト受け部材（１６）」も駆動用ラック部を受け止める案内面を備えてはいない。
　同様に、本件発明１における「苗送りベルト」及び「ベルト支持部材」に対比させて引用発明３における「無端ベルト」及び「支持板」をみると、「無端ベルト」は背面に駆動用ラック部を備えておらず、また、「無端ベルト」が背面に駆動用ラック部を備えていないのであるから、「支持板」も駆動用ラック部を受け止める案内面を備えてはいない。
　そして、本件発明は、引用発明１ないし３が備えていない上記構成を備えたことにより、明細書に記載された作用効果を奏するものである。
   したがって、本件発明１は引用発明１ではなく、また引用発明１ないし３に基いて当業者が容易に発明をすることができたものでもないから、、本件発明１の特許は、特許法第２９条第１項第３号の規定に違反してなされたものではなく、また特許法第２９条第２項の規定に違反してなされたものでもない。
（４−２）請求項２に係る発明について
　本件請求項２に係る発明（以下、「本件発明２」という）は、本件発明１における「突条」に関して「苗送りベルトの右側部及び左側部に対応する位置に」と、また同じく、本件発明１における「駆動用ラック部」に関して「前記突条の間に位置するように構成し」と、本件発明１をさらに限定したものであるから、上記「（４−１）請求項１に係る発明について」において記載した理由と同様の理由により、本件発明２は引用発明１ではなく、また引用発明１ないし３に基いて当業者が容易に発明をすることができたものでもないから、本件発明２の特許は、特許法第２９条第１項第３号の規定に違反してなされたものではなく、また特許法第２９条第２項の規定に違反してなされたものでもない。　　　　　　　　　　　　　　　　　　　　　　　
　　　　　　　　　　　　　　　　　　　　　　　　　　　　　　　　　
（５）むすび　　　　　　　　　　　　　　　　　　　　　　　　　　　
　以上のとおりであるから、特許異議の申立ての理由によっては本件請求項１ないし２に係る発明についての特許を取り消すことはできない。　　　　　また、他に本件請求項１ないし２に係る発明についての特許を取り消すべき理由を発見しない。
　したがって、本件請求項１ないし２に係る発明についての特許は拒絶の査定をしなけらばならない特許出願に対してされたものと認めない。　　　　　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年２月１４日（２００２．２．１４）
【訂正の要旨】
訂正の要旨
訂正事項ａ
特許請求の範囲の請求項１を以下のとおり訂正。
　【請求項１】　苗（Ｎ）を載置する苗のせ台（２）と、前記苗のせ台（２）の下部から苗（Ｎ）を取り出して田面に植え付ける植付け機構（３）とを備えて、
　所定の横幅を持つ苗送りベルト（６）を前記苗のせ台（２）に縦送り方向に沿って配置し、前記苗送りベルト（６）を縦送り方向に沿って回転駆動することにより、苗（Ｎ）の底面に前記苗送りベルト（６）が接触して、苗（Ｎ）が前記苗のせ台（２）の下部側に縦送りされるように構成すると共に、
　前記苗送りベルト（６）の苗（Ｎ）に接触する部分の背面（Ｓ）に接触して前記苗送りベルト（６）の苗（Ｎ）に接触する部分を支持する突条（１０ａ）を、ベルト支持部材（１０）に備え、前記突条（１０ａ）を縦送り方向に沿って備えて、
　前記苗送りベルト（６）の背面（Ｓ）に形成された駆動用ラック部（６ｂ）を受け止める案内面（１０ｂ）を、前記ベルト支持部材（１０）に備えてある苗植付け装置の苗縦送り構造。
訂正事項ｂ
特許請求の範囲の請求項２を以下のとおり訂正。
　【請求項２】　苗（Ｎ）を載置する苗のせ台（２）と、前記苗のせ台（２）の下部から苗（Ｎ）を取り出して田面に植え付ける植付け機構（３）とを備えて、
　所定の横幅を持つ苗送りベルト（６）を前記苗のせ台（２）に縦送り方向に沿って配置し、前記苗送りベルト（６）を縦送り方向に沿って回転駆動することにより、苗（Ｎ）の底面に前記苗送りベルト（６）が接触して、苗（Ｎ）が前記苗のせ台（２）の下部側に縦送りされるように構成すると共に、
　前記苗送りベルト（６）の右側部及び左側部に対応する位置に、前記苗送りベルト（６）の苗（Ｎ）に接触する部分の背面（Ｓ）に接触して前記苗送りベルト（６）の苗（Ｎ）に接触する部分を支持する突条（１０ａ）を、ベルト支持部材（１０）に備え、前記突条（１０ａ）を縦送り方向に沿って備えて、
　前記苗送りベルト（６）の背面（Ｓ）に形成された駆動用ラック部（６ｂ）が、前記突条（１０ａ）の間に位置するように構成し、前記駆動用ラック部（６ｂ）を受け止める案内面（１０ｂ）を、前記ベルト支持部材（１０）に備えてある苗植付け装置の苗縦送り構造。
訂正事項ｃ
明細書の段落【０００４】を以下のとおり訂正。
　【０００４】
　【課題を解決するための手段】
　本発明の特徴は苗植付け装置の苗縦送り構造において、次のように構成することにある。
［１］
　苗を載置する苗のせ台と、苗のせ台の下部から苗を取り出して田面に植え付ける植付け機構とを備えて、
　所定の横幅を持つ苗送りベルトを苗のせ台に縦送り方向に沿って配置し、苗送りベルトを縦送り方向に沿って回転駆動することにより、苗の底面に苗送りベルトが接触して、苗が苗のせ台の下部側に縦送りされるように構成すると共に、
　苗送りベルトの苗に接触する部分の背面に接触して苗送りベルトの苗に接触する部分を支持する突条を、ベルト支持部材に備え、突条を縦送り方向に沿って備えて、
　苗送りベルトの背面に形成された駆動用ラック部を受け止める案内面を、ベルト支持部材に備えてある。
訂正事項ｄ
明細書の段落【０００５】を以下のとおり訂正。
　【０００５】
［２］
　苗を載置する苗のせ台と、苗のせ台の下部から苗を取り出して田面に植え付ける植付け機構とを備えて、
　所定の横幅を持つ苗送りベルトを苗のせ台に縦送り方向に沿って配置し、苗送りベルトを縦送り方向に沿って回転駆動することにより、苗の底面に苗送りベルトが接触して、苗が苗のせ台の下部側に縦送りされるように構成すると共に、
　苗送りベルトの右側部及び左側部に対応する位置に、苗送りベルトの苗に接触する部分の背面に接触して苗送りベルトの苗に接触する部分を支持する突条を、ベルト支持部材に備え、突条を縦送り方向に沿って備えて、
　苗送りベルトの背面に形成された駆動用ラック部が、突条の間に位置するように構成し、駆動用ラック部を受け止める案内面を、ベルト支持部材に備えてある。
訂正事項ｅ
明細書の【符号の説明】を以下のとおり訂正。
　【符号の説明】
２　　　苗のせ台
３　　　植付け機構
６　　　苗送りベルト
６ｂ　　駆動用ラック部
１０　　ベルト支持部材
１０ａ　突条
１０ｂ　案内面
Ｓ　　　苗送りベルトの苗に接触する部分の背面
Ｎ　　　苗
（５４）【発明の名称】
苗植付け装置の苗縦送り構造
（５７）【特許請求の範囲】
　【請求項１】　苗（Ｎ）を載置する苗のせ台（２）と、前記苗のせ台（２）の下部から苗（Ｎ）を取り出して田面に植え付ける植付け機構（３）とを備えて、
　所定の横幅を持つ苗送りベルト（６）を前記苗のせ台（２）に縦送り方向に沿って配置し、前記苗送りベルト（６）を縦送り方向に沿って回転駆動することにより、苗（Ｎ）の底面に前記苗送りベルト（６）が接触して、苗（Ｎ）が前記苗のせ台（２）の下部側に縦送りされるように構成すると共に、
　前記苗送りベルト（６）の苗（Ｎ）に接触する部分の背面（Ｓ）に接触して前記苗送りベルト（６）の苗（Ｎ）に接触する部分を支持する突条（１０ａ）を、
ベルト支持部材（１０）に備え、前記突条（１０ａ）を縦送り方向に沿って備えて、
　
前記苗送りベルト（６）の背面（Ｓ）に形成された駆動用ラック部（６ｂ）を受け止める案内面（１０ｂ）を、前記ベルト支持部材（１０）に備えてある
　【請求項２】　苗（Ｎ）を載置する苗のせ台（２）と、前記苗のせ台（２）の下部から苗（Ｎ）を取り出して田面に植え付ける植付け機構（３）とを備えて、
　所定の横幅を持つ苗送りベルト（６）を前記苗のせ台（２）に縦送り方向に沿って配置し、前記苗送りベルト（６）を縦送り方向に沿って回転駆動することにより、苗（Ｎ）の底面に前記苗送りベルト（６）が接触して、苗（Ｎ）が前記苗のせ台（２）の下部側に縦送りされるように構成すると共に、
　前記苗送りベルト（６）の右側部及び左側部に対応する位置に、前記苗送りベルト（６）の苗（Ｎ）に接触する部分の背面（Ｓ）に接触して前記苗送りベルト（６）の苗（Ｎ）に接触する部分を支持する突条（１０ａ）を、
ベルト支持部材（１０）に備え、前記突条（１０ａ）を縦送り方向に沿って備えて、
　
前記苗送りベルト（６）の背面（Ｓ）に形成された駆動用ラック部（６ｂ）が、前記突条（１０ａ）の間に位置するように構成し、前記駆動用ラック部（６ｂ）を受け止める案内面（１０ｂ）を、前記ベルト支持部材（１０）に備えてある
【発明の詳細な説明】
　【０００１】
　【産業上の利用分野】
　本発明は、苗のせ台に載置された苗を苗のせ台の下部側に縦送りするように構成された苗植付け装置の苗縦送り構造に関する。
　【０００２】
　【従来の技術】
　苗植付け装置の苗縦送り構造としては、例えば実開平３−９２９１７号公報に開示されているように、所定の横幅を持つ苗送りベルトを苗のせ台に縦送り方向に沿って配置し、苗送りベルトを縦送り方向に沿って回転駆動することにより、苗のせ台に載置された苗の底面に苗送りベルトが接触して、苗が苗のせ台の下部側に縦送りされるように構成されたものがある。これにより、植付け機構が苗のせ台の下部から苗を取り出して田面に植え付ける。
　【０００３】
　【発明が解決しようとする課題】
　苗送りベルトは駆動ローラ及びテンションローラに巻回された状態で回転駆動されており、駆動ローラ及びテンションローラの間において、苗送りベルトの苗に接触する部分が苗の重量で下方に撓み易いので、苗送りベルトの苗に接触する部分を支持する必要がある。
　本発明は苗植付け装置の苗縦送り構造において、苗送りベルトの苗に接触する部分を、適切に支持することができるように構成することを目的としている。
　【０００４】
　【課題を解決するための手段】
　本発明の特徴は苗植付け装置の苗縦送り構造において、次のように構成することにある。
［１］
　苗を載置する苗のせ台と、苗のせ台の下部から苗を取り出して田面に植え付ける植付け機構とを備えて、
　所定の横幅を持つ苗送りベルトを苗のせ台に縦送り方向に沿って配置し、苗送りベルトを縦送り方向に沿って回転駆動することにより、苗の底面に苗送りベルトが接触して、苗が苗のせ台の下部側に縦送りされるように構成すると共に、
　苗送りベルトの苗に接触する部分の背面に接触して苗送りベルトの苗に接触する部分を支持する突条を、
ベルト支持部材に備え、突条を縦送り方向に沿って備えて、
　
苗送りベルトの背面に形成された駆動用ラック部を受け止める案内面を、ベルト支持部材に備えてある。
　【０００５】
［２］
　苗を載置する苗のせ台と、苗のせ台の下部から苗を取り出して田面に植え付ける植付け機構とを備えて、
　所定の横幅を持つ苗送りベルトを苗のせ台に縦送り方向に沿って配置し、苗送りベルトを縦送り方向に沿って回転駆動することにより、苗の底面に苗送りベルトが接触して、苗が苗のせ台の下部側に縦送りされるように構成すると共に、
　苗送りベルトの右側部及び左側部に対応する位置に、苗送りベルトの苗に接触する部分の背面に接触して苗送りベルトの苗に接触する部分を支持する突条を、
ベルト支持部材に備え、突条を縦送り方向に沿って備えて、
　
苗送りベルトの背面に形成された駆動用ラック部が、突条の間に位置するように構成し、駆動用ラック部を受け止める案内面を、ベルト支持部材に備えてある。
　【０００６】
　【作用】
［Ｉ］
　請求項１の特徴によると、苗送りベルトの苗に接触する部分が突条によって背面側から支持されるので、苗送りベルトの苗に接触する部分が苗の重量で下方に撓もうとする状態が防止される。これにより、苗送りベルトの苗に接触する部分が苗と一緒に下方に撓んで、苗送りベルトによる苗の縦送りに支障を来すと言う状態が未然に防止される。
　【０００７】
　請求項１の特徴によると、苗送りベルトの苗に接触する部分の背面に接触する突条が、比較的幅狭であり縦送り方向に沿って配置されているので、苗送りベルトが縦送り方向に回転駆動された場合、苗送りベルトへの突条の接触面積が小さく、且つ、苗送りベルトの回転方向（移動方向）に突条が沿った状態となっている。これにより、突条から大きな抵抗を受けることなく、苗送りベルトが円滑に回転駆動されるようになる。
　【０００８】
［ＩＩ］
　請求項２の特徴によると、請求項１の場合と同様に前項［Ｉ］に記載の「作用」を備えており、これに加えて以下のような「作用」を備えている。
　請求項２の特徴によると苗送りベルトの右側部及び左側部に対応する位置に、苗送りベルトの苗に接触する部分の背面に接触する突条が、縦送り方向に沿って備えられている。このように苗送りベルトの苗に接触する部分において、右側部及び左側部を背面側から支持するように構成することによって、所定の横幅を持つ苗送りベルトが横幅方向でバランス良く支持されるようになる。
　【０００９】
　【発明の効果】
　請求項１の特徴によると、苗植付け装置の苗縦送り構造において、苗送りベルトの苗に接触する部分を、突条によって背面側から支持するように構成することによって、苗送りベルトの苗に接触する部分が苗の重量で下方に撓もうとする状態が防止され、苗送りベルトによる苗の縦送りに支障を来すと言う状態が未然に防止されるようになるので、植付け機構による苗のせ台の下部からの苗の取り出し及び田面への植え付けが円滑に行われるようになって、苗植付け装置の植付け性能を向上させることができた。
　【００１０】
　請求項１の特徴によると、苗送りベルトの苗に接触する部分の背面に接触する突条が、比較的幅狭であり縦送り方向に沿って配置され、突条から大きな抵抗を受けることなく、苗送りベルトが円滑に回転駆動されて苗の縦送りが行われるようになるので、植付け機構による苗のせ台の下部からの苗の取り出し及び田面への植え付けが円滑に行われるようになって、苗植付け装置の植付け性能を向上させることができた。
　【００１１】
　請求項２の特徴によると、請求項１の場合と同様に前述の請求項１の「発明の効果」を備えており、この「発明の効果」に加えて以下のような「発明の効果」を備えている。
　請求項２の特徴によると、苗送りベルトの苗に接触する部分において、右側部及び左側部が突条によって背面側から支持されるように構成することにより、所定の横幅を持つ苗送りベルトが横幅方向でバランス良く支持されるようになるので、植付け機構による苗のせ台の下部からの苗の取り出し及び田面への植え付けが円滑に行われるようになって、苗植付け装置の植付け性能をさらに向上させることができた。
　【００１２】
　【実施例】
　図５に、乗用型田植機の機体の後部に連結される苗植付け装置の側面が示されている。この苗植付け装置は、図外左方の機体に油圧駆動式のリンク機構（図示せず）を介して昇降可能に連結支持されており、機体から動力を受ける植付けミッシヨンケース１、複数条分の苗Ｎを載置して一定ストロークで左右に横送り移動可能な苗のせ台２、苗のせ台２の下部から苗Ｎを取り出して田面に植え付ける複数条分のロータリー式の植付け機構３、苗のせ台２が横送りのストロークエンドに達する度に苗Ｎを下方に縦送りする苗縦送り機構４、及び田面を整地するフロート５等を備えて構成されている。
　【００１３】
　図５及び図２に示すように苗縦送り機構４は、各条毎に広幅の苗送りベルト６を左右一対ずつ苗のせ台２の下半部に配置して構成されており、苗送りベルト６は下方の駆動ローラ７と上方のテンションローラ８とに亘って巻回されている。図１，２，３に示すように苗送りベルト６は、外周の表面に苗Ｎの搬送用の小突起６ａを備え、内周の背面の左右中間部に駆動ローラ７に係合する駆動用ラック部６ｂを備えて広幅のゴムベルトで構成されており、テンションローラ８がバネ９により上方に付勢されることで、苗送りベルト６が所定の張力で緊張されている。
　【００１４】
　駆動ローラ７とテンションローラ８との間隔、言い換えると苗送りベルト６の長さは、一般のマット状の苗を植え付ける苗植付け装置に装備された苗送りベルトよりも長いものが用いられている。図１，２，３に示すように、苗送りベルト６が苗Ｎの重量によって撓むのを防止する為に、苗送りベルト６の苗Ｎに接触する部分を背面Ｓから支持するベルト支持部材１０が、駆動ローラ７とテンションローラ８との間に配置されて苗のせ台３に連結固定されている。
　【００１５】
　ベルト支持部材１０は金属板材を屈曲して苗送りベルト６と略同幅に構成されており、ベルト支持部材１０の左右両端近くに、苗送りベルト６の背面Ｓを支持する一対の突条１０ａが縦送り方向に沿って突設され、苗送りベルト６の駆動用ラック部６ｂの先端部を受け止める案内面１０ｂが、突条１０ａの間に形成されている。
　【００１６】
　ベルト支持部材１０の上下２箇所に、ベルト支持部材１０の左右の側板１０ｃを貫通する連結棒１１が備えられ、連結棒１１が苗のせ台２の下部ブラケット１２と上部金具１３とに支持されて、ベルト支持部材１０が苗のせ台２の背部に連結固定されている。苗送りベルト６の成型時にブラッシング処理した金型を用いることで、苗送りベルト６の背面Ｓに微細な凹凸が形成されており、突条１０ａが苗送りベルト６の背面Ｓに接触したまま長時間停止していても、突条１０ａが苗送りベルト６の背面Ｓに粘着してしまうことがないように考慮されている。
　【００１７】
　図４及び図１に、苗縦送り機構４における駆動ローラ７の回転駆動構造が示されている。図４及び図１に示すように、植付けミッションケース１の左右側面に支持されて紙面反時計方向に回転する駆動カム１４、植付けミッションケース２に貫通支持されて一定ストロークで左右に横送り移動する横送り軸１５、横送り軸１５の両端と苗のせ台２とを連結する連結アーム１６、連結アーム１６に回転可能で紙面反時計方向に付勢されて支持された縦送り軸１７、縦送り軸１７に固定された縦送りアーム１８、縦送り軸１７に固定されて縦送りアーム１８と一体で回転する接当アーム１９、接当アーム１９を受け止めて縦送りアーム１８の待機位置を規制するストッパーピン２０が備えられている。
　【００１８】
　これによって、横送り軸１５が一方の横送りのストロークエンドに達すると、一方の縦送りアーム１８が一方の駆動カム１４の回転軌跡内に入り、駆動カム１４との接当によって、縦送りアーム１８が紙面時計方向に所定角度だけ回転させられ、縦送りアーム１８の回転が駆動ローラ７の駆動軸２１に、チェーン伝動機構２２及び一方向回転クラッチ２３を介して、紙面時計方向の回転として伝達され、苗送りベルト６が所定量だけ回転駆動されて、苗Ｎが縦送りされるように構成されている。次に縦送りアーム１８が駆動カム１４から外れると、予め与えられている付勢力で縦送りアーム１８が接当アーム１９と一緒に紙面反時計方向に回転し、接当アーム１９がストッパーピン２０で受け止められて元の待機位置に達する。又、横送り軸１５が他方の横送りのストロークエンドに達すると、他方の縦送りアーム１８と他方の駆動カム１４とが、前述と同様に作動して苗Ｎの縦送りが行われる。
　【００１９】
　図４に示すように、苗のせ台２は下部を支持する摺動レール２４と一緒に縦送り方向に位置調節可能である。例えば苗のせ台２の位置が下方に変更されると、植付け機構３による苗取り量が増加するのであり、苗のせ台２の位置が下方に変更されることによって、支持アーム２５が支点軸２６を中心に紙面時計方向に回転し、ストッパーピン２０の位置が図４の紙面右上方に変更される。これによって、縦送りアーム１８の待機位置が紙面反時計方向に移動して、駆動カム１４が縦送りアーム１８に接触している間の角度が大きくなり、苗Ｎの縦送り量が大きくなる。逆に苗のせ台２の位置が上方に変更されると、植付け機構３による苗取り量が減少するのであり、苗のせ台２の位置が上方に変更されることによって、支持アーム２５が支点軸２６を中心に紙面反時計方向に回転し、ストッパーピン２０の位置が図４の紙面左下方に変更される。これによって、縦送りアーム１８の待機位置が紙面時計方向に移動して、駆動カム１４が縦送りアーム１８に接触している間の角度が小さくなり、苗Ｎの縦送り量が小さくなる。
　【００２０】
　この場合、苗のせ台２が縦送り方向の中央位置（苗取り量の調節範囲の中央位置）にある時、接当アーム１９とストッパーピン２０との接当位置ａが、縦送り軸１７の軸心と支点軸２６の軸心とを結ぶ線Ｌ又はその極近くにあるように、支持アーム２５の基準位置が設定されている。このように設定することで、苗のせ台２の位置（苗取り量）と、駆動カム１４が縦送りアーム１８に接触している間の角度（苗Ｎの縦送り量）とを、略同じにすることができる。
　【００２１】
　尚、特許請求の範囲の項に図面との対照を便利にするために符号を記すが、該記入により本発明は添付図面の構成に限定されるものではない。
【図面の簡単な説明】
　【図１】
　苗のせ台における苗縦送り機構付近の側面図
　【図２】
　苗のせ台における苗縦送り機構付近の平面図
　【図３】
　苗縦送り機構の縦断正面図
　【図４】
　苗縦送り機構の駆動部付近を示す側面図
　【図５】
　苗植付け装置の全体側面図
　【符号の説明】
　２　　　　苗のせ台
　３　　　　植付け機構
　６　　　　苗送りベルト
　
６ｂ　　　駆動用ラック部
　
１０　　　ベルト支持部材
　１０ａ　　突条
　
１０ｂ　　案内面
　Ｓ　　　　苗送りベルトの苗に接触する部分の背面
　Ｎ　　　　苗